(57)【特許請求の範囲】
【請求項１】
電子デバイスであって、
磁気媒体と、
前記磁気媒体の側面を取り巻くコイルと、
前記コイルの両端に接続されたプロセッサと、
を含み、
前記磁気媒体は、前記電子デバイスが電子部品の接続を検出すると、前記電子部品が発生させる第1の磁界によって磁化され、前記第1の磁界の磁力の影響下で前記電子部品に接続されるように構成されており、前記電子部品は、ターゲット接続部品を収容するか、または前記ターゲット接続部品に接続され、
前記コイルは、前記第1の磁界の影響下で、前記コイルにおける磁束の変化に従って第1の電気信号を生成するように構成されており、前記第1の電気信号は、前記プロセッサを駆動して、前記電子部品に収容された、または前記電子部品に接続された前記ターゲット接続部品の識別情報が所定の識別子と同じであるかどうかを判定させるために用いられ、
前記プロセッサは、前記磁束の前記変化を検出するように構成されており、前記第1の電気信号の変化が所定の第1のモデルと一致する場合に、前記ターゲット接続部品の前記識別情報が前記所定の識別子と同一であるかどうかを判定するように構成されており、前記ターゲット接続部品の前記識別情報が前記所定の識別子と異なる場合に、前記電子部品を駆動して前記電子デバイスから切断させるようにさらに構成されており、
前記プロセッサは、前記識別情報が前記所定の識別子と同じである場合に、第1の制御信号を生成するようにさらに構成されており、
前記コイルは、前記第1の制御信号に従って第2の電気信号を生成し、前記第2の電気信号を用いて第2の磁界を発生させるようにさらに構成されており、前記第2の磁界の磁力は、前記電子部品を駆動して前記電子デバイスにしっかりと接続させるために用いられる、電子デバイス。
【請求項２】
前記プロセッサは、命令情報を獲得するようにさらに構成されており、前記命令情報は、前記電子部品を駆動して前記電子デバイスから切断させるために用いられ、
前記プロセッサは、前記命令情報を獲得した後で、前記電子部品を駆動して前記電子デバイスから切断させるようにさらに構成されている、請求項1に記載の電子デバイス。
【請求項３】
前記プロセッサは、前記命令情報を獲得した後で、前記命令情報が命令検証情報と同じであるかどうかを判定するようにさらに構成されており、
前記プロセッサが、前記命令情報を獲得した後で、前記電子部品を駆動して前記電子デバイスから切断させるようにさらに構成されていることは、
前記プロセッサが、前記命令情報が前記命令検証情報と同じである場合に、前記電子部品を駆動して前記電子デバイスから切断させるようにさらに構成されていることを含む、請求項2に記載の電子デバイス。
【請求項４】
前記プロセッサは、前記識別情報が前記所定の識別子と異なる場合に、第2の制御信号を生成するようにさらに構成されており、
前記コイルは、前記第2の制御信号に従って第3の電気信号を生成し、前記第3の電気信号を用いて第2の磁界を発生させるようにさらに構成されており、前記第2の磁界の磁力は、前記電子部品を駆動して前記電子デバイスから切断させるために用いられる、請求項1から3のいずれか一項に記載の電子デバイス。
【請求項５】
前記プロセッサは、前記第3の電気信号の変化が所定の第2のモデルと一致するかどうかを検出し、前記第3の電気信号の前記変化が前記所定の第2のモデルと一致する場合に、前記コイルを駆動して前記第3の電気信号の生成を停止させるようにさらに構成されている、請求項4に記載の電子デバイス。
【請求項６】
前記ターゲット接続部品は、データカードまたはメモリカードであり、
前記ターゲット接続部品の前記識別情報は、前記ターゲット接続部品の通し番号または識別IDである、請求項1から5のいずれか一項に記載の電子デバイス。
【請求項７】
ユーザ機器であって、
請求項1から6のいずれか一項に記載の電子デバイスと、
前記電子部品と、
を含み、
前記電子部品は、
電子インターフェースを含む永久磁石装置を含み、
前記永久磁石装置は、前記第1の磁界を発生させるように構成されており、前記第1の磁界の磁力は、前記電子部品が前記電子デバイスに接続されようとするときに、前記電子部品を駆動して前記電子デバイスに接続させるために用いられ、
前記電子インターフェースは、前記ターゲット接続部品に接続されるように構成されており、前記ターゲット接続部品は、前記電子デバイスによって前記電子デバイスと通信を行うために用いられるか、または前記電子デバイスとデータ伝送を行うために用いられる、ユーザ機器。
【請求項８】
前記電子インターフェースは、スロットであり、
前記スロットは、前記永久磁石装置に堅固に接続されている、請求項7に記載のユーザ機器。
【請求項９】
前記ターゲット接続部品は、データカードまたはメモリカードである、請求項7または8に記載のユーザ機器。
【請求項１０】
電子デバイスにより、前記電子デバイスにおける第1の磁界の磁束の変化を検出し、前記磁束の前記変化に従って第1の電気信号を生成するステップであって、前記第1の磁界は、電子部品によって発生し、前記第1の磁界の磁力は、前記電子部品を駆動して前記電子デバイスに接続させるために用いられ、前記電子部品は、ターゲット接続部品に接続される、ステップと、
前記第1の電気信号の変化が所定の第1のモデルと一致する場合、前記電子デバイスにより、前記ターゲット接続部品の識別情報が所定の識別子と同じであるかどうかを判定するステップと、
前記ターゲット接続部品の前記識別情報が前記所定の識別子と異なる場合、前記電子デバイスにより、前記電子部品を駆動して前記電子デバイスから切断させるステップと、
を含み、
前記識別情報が前記所定の識別子と同じである場合、前記電子デバイスが第2の電気信号を用いて第2の磁界を発生させるよう、前記電子デバイスにより、前記第2の電気信号を生成するステップであって、前記第2の磁界の磁力は、前記電子部品を駆動して前記電子デバイスにしっかりと接続させるために用いられる、ステップをさらに含む、接続／切断方法。
【請求項１１】
命令情報を獲得するステップであって、前記命令情報は、前記電子部品を駆動して前記電子デバイスから切断させるために用いられる、ステップと、
前記命令情報に従って、前記電子部品を駆動して前記電子デバイスから切断させるステップと、
をさらに含む、請求項10に記載の接続／切断方法。
【請求項１２】
前記命令情報が命令検証情報と同じであるかどうかを判定するステップをさらに含み、
前記命令情報に従って、前記電子部品を駆動して前記電子デバイスから切断させる前記ステップは、
前記命令情報が前記命令検証情報と同じである場合、前記電子部品を駆動して前記電子デバイスから切断させるステップを含む、請求項11に記載の接続／切断方法。
【請求項１３】
前記ターゲット接続部品は、データカードまたはメモリカードであり、
前記ターゲット接続部品の前記識別情報は、前記ターゲット接続部品の通し番号または識別IDである、請求項10から12のいずれか一項に記載の接続／切断方法。
【請求項１４】
電子デバイスであって、
前記電子デバイスにおける第1の磁界の磁束の変化を検出するように構成された検出部であって、前記第1の磁界は、電子部品によって発生し、前記第1の磁界の磁力は、前記電子部品を駆動して前記電子デバイスに接続させるために用いられ、前記電子部品は、ターゲット接続部品に接続される、検出部と、
前記検出部によって検出された前記磁束の前記変化に従って第1の電気信号を生成するように構成された生成部と、
前記生成部によって生成された前記第1の電気信号の変化が所定の第1のモデルと一致する場合に、前記ターゲット接続部品の識別情報が所定の識別子と同じであるかどうかを判定するように構成された判定部と、
前記判定部が前記ターゲット接続部品の前記識別情報は前記所定の識別子と異なると判定した場合に、前記電子部品を駆動して前記電子デバイスから切断させるように構成された駆動部と、
を含み、
前記生成部は、前記識別情報が前記所定の識別子と同じである場合に、前記電子デバイスが第2の電気信号を用いて第2の磁界を発生させるよう、前記第2の電気信号を生成するようにさらに構成されており、前記第2の磁界の磁力は、前記電子部品を駆動して前記電子デバイスにしっかりと接続させるために用いられる、電子デバイス。
【請求項１５】
獲得部をさらに含み、
前記獲得部は、命令情報を獲得するように構成されており、前記命令情報は、前記電子部品を駆動して前記電子デバイスから切断させるために用いられ、
前記駆動部は、前記獲得部によって獲得された前記命令情報に従って、電子部品を駆動して前記電子デバイスから切断させるようにさらに構成されている、請求項14に記載の電子デバイス。
【請求項１６】
前記判定部は、前記獲得部によって獲得された前記命令情報が命令検証情報と同じであるかどうかを判定するようにさらに構成されており、
前記駆動部は、前記判定部が前記命令情報は前記命令検証情報と同じであると判定した場合に、前記電子部品を駆動して前記電子デバイスから切断させるようにさらに構成されている、請求項15に記載の電子デバイス。
【請求項１７】
前記ターゲット接続部品は、データカードまたはメモリカードであり、
前記ターゲット接続部品の前記識別情報は、前記ターゲット接続部品の通し番号または識別IDである、請求項14から16のいずれか一項に記載の電子デバイス。
【請求項１８】
ユーザ機器であって、
請求項14から17のいずれか一項に記載の電子デバイスと、
前記電子部品と、
を含み、
前記電子部品は、
前記第1の磁界を発生させるように構成された永久磁石部であって、前記第1の磁界の磁力は、前記電子部品が前記電子デバイスに接続されようとするときに、前記電子部品を駆動して前記電子デバイスに接続させるために用いられる、永久磁石部と、
前記ターゲット接続部品に接続されるように構成された入力／出力部であって、前記ターゲット接続部品は、前記電子デバイスによって前記電子デバイスと通信を行うために用いられるか、または前記電子デバイスとデータ伝送を行うために用いられる、入力／出力部と、
を含むユーザ機器。
【請求項１９】
前記ターゲット接続部品は、データカードまたはメモリカードである、請求項18に記載のユーザ機器。
【発明の詳細な説明】
【技術分野】
【０００１】
本発明は、電子設計の分野に関連し、特に、接続／切断方法および接続／切断装置に関する。
【背景技術】
【０００２】
技術の急速な発展に伴い、種々の製品に対するユーザの要件は、もはや機能性としてのみ反映されるものではなくなってきている。製品の操作体感、技巧性、および製品を使用する際のセキュリティに対する要件がますます高度化しつつある。
【０００３】
従来技術では、電子デバイスのスロットに装着されたカードは、そのカードが許可されているかどうかを問わず、その電子デバイスにおいて正常に使用することができる。加えて、既存の電子デバイスと電子部品インターフェースとの間の接続／切断構造はほとんど機械的であり、すなわち、電子デバイスは、機械的なレバーを用いて電子デバイスと電子部品インターフェースとの間の接続／切断を制御し、そのため、ユーザは機械的レバーを作動させることによって電子デバイスと電子部品インターフェースとの間の接続／切断を行い、電子デバイスのスロットに装着されたカードをさらに変更することができる。例えば、電子デバイスは、機械的レバーを用いて加入者識別モジュール（SIM、Subscriber Identity Module）スロットまたはセキュア・デジタル・メモリ・カード（SD、Secure Digital Memory Card）スロットに接続される。機械的レバーを作動させることによって、ユーザは電子デバイスのスロットに装着されたカードを直接変更することできる。
【０００４】
しかし、機械的接続／切断構成では、ユーザは機械的レバーを作動させるだけで電子デバイスのスロットに装着されたカードを変更することができる。したがって、不正なカードも電子デバイスに装着し、正常に使用することができ、これは電子デバイスにおける情報の漏洩につながり、電子デバイスの低セキュリティをもたらす可能性もある。
【発明の概要】
【０００５】
本発明の実施態様は、現在の機械的接続／切断技術における電子デバイスの低セキュリティの問題を解決し、電子デバイスのセキュリティを向上させるための、接続／切断方法および接続／切断装置を提供する。
【課題を解決するための手段】
【０００６】
前述の目的を達成するために、本発明の実施態様においては、以下の技術的解決策が用いられる。
【０００７】
第1の態様によれば、本発明の一実施態様は、磁気媒体と、磁気媒体の側面を取り巻くコイルと、コイルの両端に接続されたプロセッサとを含む、電子デバイス提供し、
磁気媒体は、電子デバイスが電子部品の接続を検出すると、電子部品が発生させる第1の磁界によって磁化され、第1の磁界の磁力の影響下で電子部品に接続されるように構成されており、電子部品は、ターゲット接続部品を収容するか、またはターゲット接続部品に接続され、
コイルは、第1の磁界の影響下で、コイルにおける磁束の変化に従って第1の電気信号を生成するように構成されており、第1の電気信号は、プロセッサを駆動して、電子部品に収容された、または電子部品に接続されたターゲット接続部品の識別情報が所定の識別子と同じであるかどうかを判定させるために用いられ、
プロセッサは、磁束の変化を検出するように構成されており、第1の電気信号の変化が所定の第1のモデルと一致する場合に、ターゲット接続部品の識別情報が所定の識別子と同一であるかどうかを判定するように構成されており、ターゲット接続部品の識別情報が所定の識別子と異なる場合に、電子部品を駆動して電子デバイスから切断させるようにさらに構成されている。
【０００８】
第1の態様の第1の可能な実施態様において、プロセッサは、識別情報が所定の識別子と同じである場合に、第1の制御信号を生成するようにさらに構成されており、
コイルは、第1の制御信号に従って第2の電気信号を生成し、第2の電気信号を用いて第2の磁界を発生させるように特に構成されており、第2の磁界の磁力は、電子部品を駆動して電子デバイスにしっかりと接続させるために用いられる。
【０００９】
第1の態様の第1の可能な実施態様に関連して、第1の態様の第2の可能な実施態様において、プロセッサは、命令情報を獲得するようにさらに構成されており、命令情報は、電子部品を駆動して電子デバイスから切断させるために用いられ、
プロセッサは、命令情報を獲得した後で、電子部品を駆動して電子デバイスから切断させるようにさらに構成されている。
【００１０】
第1の態様の第2の可能な実施態様に関連して、第1の態様の第3の可能な実施態様において、プロセッサは、命令情報を獲得した後で、命令情報が命令検証情報と同じであるかどうかを判定するようにさらに構成されており、
プロセッサが、命令情報を獲得した後で、電子部品を駆動して電子デバイスから切断させるようにさらに構成されていることは、
プロセッサが、命令情報が命令検証情報と同じである場合に、電子部品を駆動して電子デバイスから切断させるようにさらに構成されていることを含む。
【００１１】
第1の態様、または第1の態様の第1の可能な実施態様から第3の可能な実施態様の任意の可能な実施態様に関連して、第1の態様の第4の可能な実施態様において、プロセッサは、識別情報が所定の識別子と異なる場合に、第2の制御信号を生成するように特に構成されており、
コイルは、第2の制御信号に従って第3の電気信号を生成し、第3の電気信号を用いて第2の磁界を発生させるように特に構成されており、第2の磁界の磁力は、電子部品を駆動して電子デバイスから切断させるために用いられる。
【００１２】
第1の態様の第4の可能な実施態様に関連して、第1の態様の第5の可能な実施態様において、プロセッサは、第3の電気信号の変化が所定の第2のモデルと一致するかどうかを検出し、第3の電気信号の変化が所定の第2のモデルと一致する場合に、コイルを駆動して第3の電気信号の生成を停止させるようにさらに構成されている。
【００１３】
第1の態様または第1の態様の第1から第5の可能な実施態様の任意の可能な実施態様に関連して、第1の態様の第6の可能な実施態様において、ターゲット接続部品は、データカードまたはメモリカードであり、ターゲット接続部品の識別情報は、ターゲット接続部品の通し番号または識別IDである。
【００１４】
第2の態様によれば、本発明の一実施態様は、電子インターフェースを含む永久磁石装置を含む、電子部品を提供し、
永久磁石装置は、第1の磁界を発生させるように構成されており、第1の磁界の磁力は、電子部品が電子デバイスに接続されようとするときに、電子部品を駆動して電子デバイスに接続させるために用いられ、
電子インターフェースは、ターゲット接続部品を収容するか、またはターゲット接続部品に接続されるように構成されており、ターゲット接続部品は、電子デバイスによって電子デバイスと通信を行うために用いられるか、または電子デバイスとデータ伝送を行うために用いられる。
【００１５】
第2の態様の第1の可能な実施態様において、電子インターフェースは、スロットであり、スロットは、永久磁石装置に堅固に接続されている。
【００１６】
第2の態様または第2の態様の第1の可能な実施態様に関連して、第2の態様の第2の可能な実施態様において、ターゲット接続部品は、データカードまたはメモリカードである。
【００１７】
第3の態様によれば、本発明の一実施態様は、第1の態様に記載される任意の特性を有する電子デバイスである少なくとも1台の電子デバイスと、第2の態様に記載される任意の特性を有する電子部品とを含む、ユーザ機器を提供する。
【００１８】
第4の態様によれば、本発明の一実施態様は、接続／切断方法を提供し、本方法は、
電子デバイスにより、電子デバイスにおける第1の磁界の磁束の変化を検出し、磁束の変化に従って第1の電気信号を生成するステップであって、第1の磁界は、電子部品によって発生し、第1の磁界の磁力は、電子部品を駆動して電子デバイスに接続させるために用いられ、電子部品は、ターゲット接続部品を収容するか、またはターゲット接続部品に接続される、ステップと、
第1の電気信号の変化が所定の第1のモデルと一致する場合、電子デバイスにより、ターゲット接続部品の識別情報が所定の識別子と同じであるかどうかを判定するステップと、
ターゲット接続部品の識別情報が所定の識別子と異なる場合に、電子デバイスにより、電子部品を駆動して電子デバイスから切断させるステップと、を含む。
【００１９】
第4の態様の第1の可能な実施態様において、本方法は、
識別情報が所定の識別子と同じである場合に、電子デバイスが第2の電気信号を用いて第2の磁界を発生させるよう、電子デバイスにより、第2の電気信号を生成するステップであって、第2の磁界の磁力は、電子部品を駆動して電子デバイスにしっかりと接続させるために用いられる、ステップをさらに含む。
【００２０】
第4の態様の第1の可能な実施態様に関連して、第4の態様の第2の可能な実施態様において、本方法は、
命令情報を獲得するステップであって、命令情報は、電子部品を駆動して電子デバイスから切断させるために用いられる、ステップと、
命令情報に従って、電子部品を駆動して電子デバイスから切断させるステップと、をさらに含む。
【００２１】
第4の態様の第2の可能な実施態様に関連して、第4の態様の第3の可能な実施態様において、本方法は、
命令情報が命令検証情報と同じであるかどうかを判定するステップをさらに含み、
命令情報に従って、電子部品を駆動して電子デバイスから切断させるステップは、
命令情報が命令検証情報と同じである場合、電子部品を駆動して電子デバイスから切断させるステップを含む。
【００２２】
第4の態様、または第4の態様の第1の可能な実施態様から第3の可能な実施態様の任意の可能な実施態様に関連して、第4の態様の第4の可能な実施態様において、ターゲット接続部品は、データカードまたはメモリカードであり、ターゲット接続部品の識別情報は、ターゲット接続部品の通し番号または識別IDである。
【００２３】
第5の態様によれば、本発明の一実施態様は、電子デバイスを提供し、本電子デバイスは、
電子デバイスにおける第1の磁界の磁束の変化を検出するように構成された検出部であって、第1の磁界は、電子部品によって発生し、第1の磁界の磁力は、電子部品を駆動して電子デバイスに接続させるために用いられ、電子部品は、ターゲット接続部品を収容するか、またはターゲット接続部品に接続される、検出部と、
検出部によって検出された磁束の変化に従って第1の電気信号を生成するように構成された生成部と、
生成部によって生成された第1の電気信号の変化が所定の第1のモデルと一致する場合に、ターゲット接続部品の識別情報が所定の識別子と同じであるかどうかを判定するように構成された判定部と、
判定部がターゲット接続部品の識別情報は所定の識別子と異なると判定した場合に、電子部品を駆動して電子デバイスから切断させるように構成された駆動部と、を含む。
【００２４】
第5の態様の第1の可能な実施態様において、生成部は、判定部が識別情報は所定の識別子と同じであると判定した場合に、電子デバイスが第2の電気信号を用いて第2の磁界を発生させるよう、第2の電気信号を生成するようにさらに構成されており、第2の磁界の磁力は、電子部品を駆動して電子デバイスにしっかりと接続させるために用いられる。
【００２５】
第5の態様の第1の可能な実施態様に関連して、第5の態様の第2の可能な実施態様において、電子デバイスは、獲得部をさらに含み、
獲得部は、命令情報を獲得するように構成されており、命令情報は、電子部品を駆動して電子デバイスから切断させるために用いられ、
駆動部は、獲得部によって獲得された命令情報に従って、電子部品を駆動して電子デバイスから切断させるようにさらに構成されている。
【００２６】
第5の態様の第2の可能な実施態様に関連して、第5の態様の第3の可能な実施態様において、判定部は、獲得部によって獲得された命令情報が命令検証情報と同じであるかどうかを判定するようにさらに構成されており、
駆動部は、判定部が命令情報は命令検証情報と同じであると判定した場合に、電子部品を駆動して電子デバイスから切断させるように特に構成されている。
【００２７】
第5の態様、または第5の態様の第1の可能な実施態様から第3の可能な実施態様の任意の可能な実施態様に関連して、第5の態様の第4の可能な実施態様において、ターゲット接続部品は、データカードまたはメモリカードであり、ターゲット接続部品の識別情報は、ターゲット接続部品の通し番号または識別IDである。
【００２８】
第6の態様によれば、本発明の一実施態様は、電子部品を提供し、本電子部品は、
第1の磁界を発生させるように構成された永久磁石部であって、第1の磁界の磁力は、電子部品が電子デバイスに接続されようとするときに、電子部品を駆動して電子デバイスに接続させるために用いられる、永久磁石部と、
ターゲット接続部品に接続されるように構成された入力／出力部であって、ターゲット接続部品は、電子デバイスによって電子デバイスと通信を行うために用いられるか、または電子デバイスとデータ伝送を行うために用いられる、入力／出力部と、を含む。
【００２９】
第6の態様の第1の可能な実施態様において、ターゲット接続部品は、データカードまたはメモリカードである。
【００３０】
本発明の実施態様は、接続／切断方法および接続／切断装置を提供する。電子デバイスは、電子デバイスにおける第1の磁界の磁束の変化を検出し、磁束の変化に従って第1の電気信号を生成し、第1の磁界は、電子部品によって発生し、第1の磁界の磁力は、電子部品を駆動して電子デバイスに接続させるために用いられ、電子部品は、ターゲット接続部品を収容するか、またはターゲット接続部品に接続される。電磁誘導原理より、電子デバイスにおける第1の磁界の磁束の変化は、電子デバイスに第1の電気信号を生成させることができることが分かり、第1の磁界は、電子部品によって発生し、磁束の変化は、第1の電気信号の変化を生じさせることができる。第1の電気信号の変化が所定の第1のモデルと一致する場合に、電子デバイスは、ターゲット接続部品の識別情報が所定の識別子と同じであるかどうかを判定し、ターゲット接続部品の識別情報が所定の識別子と異なる場合に、電子デバイスは、電子部品を駆動して電子デバイスから切断させる。
【００３１】
この解決策を用いて、電子デバイスは、プログラム論理制御により、電子部品によって収容された、または電子部品に接続されたターゲット接続部品が許可されているかどうかの判定、すなわち、ターゲット接続部品の識別情報が所定の識別子と同じであるかどうかの判定を行い、ターゲット接続部品が許可されていないと判定した場合に、電子デバイスは、電子部品を駆動して電子デバイスから切断させる。このようにして、不正なターゲット接続部品が電子デバイスに接続された後で、そのターゲット接続部品を正常に使用することができないことが保証され、それによって、電子デバイスのセキュリティが向上する。
【００３２】
本発明の実施形態における、または先行技術における技術的解決策をより明確に説明するために、以下に、各実施形態または先行技術を説明するために必要とされる添付の図面について簡単に記述する。当然ながら、以下の説明における添付の図面は、単に本発明のいくつかの実施形態を示すにすぎず、当業者は、これら添付の図面から難なく他の図面をさらに導出することができる。
【図面の簡単な説明】
【００３３】
【図１】本発明の一実施形態による電子デバイスの概略的構造図である。
【図２】本発明の一実施形態による電子部品の概略的構造図である。
【図３】本発明の一実施形態によるユーザ機器の概略的構造図である。
【図４】本発明の一実施形態による接続／切断方法の概略的流れ図である。
【図５】本発明の一実施形態による電子デバイスの磁気媒体の磁化の概略図である。
【図６】本発明の一実施形態による電子デバイスによる第1の電気信号の生成の概略図である。
【図７】本発明の一実施形態による電子デバイスによる第2の磁界の発生の概略図である。
【図８】本発明の一実施形態による接続／切断方法の概略的流れ図である。
【図９】本発明の一実施形態による接続／切断方法の概略的流れ図である。
【図１０】本発明の一実施形態による接続／切断方法の概略的流れ図である。
【図１１】本発明の一実施形態による電子デバイスの概略的構造図である。
【図１２】本発明の一実施形態による電子デバイスの概略的構造図である。
【図１３】本発明の一実施形態による電子部品の概略的構造図である。
【発明を実施するための形態】
【００３４】
以下で、本発明の実施形態における添付の図面に関連して、本発明の実施形態における技術的解決策を明確かつ十分に説明する。当然ながら、説明される実施形態は、本発明の実施形態の全部ではなく一部であるにすぎない。本発明の実施形態に基づいて当業者によって難なく得られる他のすべての実施形態は、本発明の保護範囲内に含まれるものとする。
【００３５】
実施形態1
本発明の本実施形態は電子デバイスを提供する。図1に示すように、本電子デバイスは、磁気媒体10と、コイル11と、プロセッサ12と、電子部品インターフェース13と、メモリ14と、システムバス15とを含むことができ、
コイル11は磁気媒体10の側面を取り巻いており、プロセッサ12はコイル11の両端に接続されており、プロセッサ12とメモリ14と電子部品インターフェース13との間では、システムバス15を用いて接続および通信が行われる。
【００３６】
メモリ14は、高速RAM（Random Access Memory、ランダム・アクセス・メモリ）メモリであってもよく、少なくとも1つのディスクメモリといった不揮発性メモリ（non-volatile memory）であってもよい。メモリ14は、電子デバイスによって生成された第1の電気信号、所定の第1のモデル、所定の第2のモデルなどを記憶するように構成されている。
【００３７】
電子部品インターフェース13は、外部電子部品に接続され、電子デバイスが、外部電子部品内のターゲット接続部品を用いて電子部品インターフェース13上で通信またはデータ伝送を行うことを可能にするように構成されうる。例えば、電子部品インターフェースを用いることにより、電子デバイスは、スロットに収容されたメモリカード上のデータを読み取ることができる。
【００３８】
本発明の本実施形態の電子デバイスはユーザインターフェースを含む任意の装置とすることができ、これについては本発明の本実施形態では限定されないことに留意されたい。例えば、電子デバイスは、SIMカードスロットが搭載されていない携帯電話機であってもよく、ヘッドセットが接続されていない携帯電話機であってもよく、電子展示ブースに設置された盗難防止ロックなしの電子デバイスであってもよい。
【００３９】
電子デバイスは、携帯電話機（または「セルラ」電話機と呼ばれる）であってもよく、携帯型、ポケットサイズ、ハンドヘルド型、コンピュータ内蔵式、あるいは車載モバイル装置といった、移動端末を備えるコンピュータであってもよい。
【００４０】
具体的には、磁気媒体10は、電子デバイスが電子部品の接続を検出すると、電子部品が発生させる第1の磁界によって磁化され、第1の磁界の磁力の影響下で電子部品に接続されるように構成されており、電子部品は、ターゲット接続部品を収容するか、またはターゲット接続部品に接続される。
【００４１】
磁気媒体は、磁化状態が磁界の影響下で変化する材料をいう。好ましくは、本発明の本実施形態の磁気媒体10は鉄心とすることができる。鉄心は軟鉄またはケイ素鋼材料でできていてよく、これについては本発明の本実施形態では限定されない。加えて、磁気媒体10の形状特性は、直方体であってもよく、円柱であってもよい。磁気媒体の形状特徴は、本発明の実施形態では限定されない。
【００４２】
加えて、本発明の本実施形態の電子部品は、永久磁石装置であってもよく、永久磁石特性を有する別の装置であってもよい。電子部品は電子インターフェースを含む。電子インターフェースは、ターゲット接続部品に接続されるか、またはターゲット接続部品を収容し、電子部品は、第1の磁界を発生させることができる。
【００４３】
具体的には、電子部品が電子デバイスの本体に接続されようとするときに、電子部品と磁気媒体との距離はますます短くなり、磁気媒体10は第1の磁界によって磁化される。磁界の影響下での磁気媒体の内部状態の変化を磁化いう。すなわち、磁気媒体10の内部状態は第1の磁界の影響下で変化する。加えて、第1の磁界の磁力の影響下で、磁気媒体10は、互いに引きつけ合って電子部品に接続される。
【００４４】
例えば、電子デバイス内の磁気媒体は鉄心である。電子部品は電子インターフェースを含む永久磁石であり、したがって、永久磁石が電子デバイスの本体に接続されると、鉄心は、永久磁石が発生させる磁界により磁化され、永久磁石に接続される。
【００４５】
具体的には、コイル11は、第1の磁界の影響下で、コイルにおける磁束の変化に従って第1の電気信号を生成する、ように構成されており、第1の電気信号は、プロセッサ12を駆動して、電子部品に収容された、または電子部品に接続されたターゲット接続部品の識別情報が所定の識別子と同じであるかどうかを判定させるために用いられる。
【００４６】
磁束は、所与の曲面を通過する磁界の大きさの尺度である。平面を通過する磁束の大きさは、平面における磁気誘導線の量によって比喩的に描写することができる。同じ磁界においては、磁気誘導線はより高い磁気誘導強度を有する場所でより密である。
【００４７】
当然ながら、コイル11が磁気媒体の側面を取り巻いていることは、コイル11が磁気媒体10の全側面を取り巻いている場合を含む。例えば、磁気媒体10の形状が2つの底面と1つの曲面とを含む円柱である場合、コイル11は、円柱の曲面（側面）を取り巻いていてもよく、円柱の底面を取り巻いていてもよく、円柱の曲面と底面とを取り巻いていてもよい。コイルが磁気媒体を取り巻く方法は、実際の適用に際してのコイルの取り巻き方法に適合すべきであり、本発明の本実施形態では限定されない。
【００４８】
電子部品が電子デバイスに接続されようとするときに、電子部品は、第1の磁界の磁力の影響下で磁気媒体10にますます近づき、コイル11における第1の磁界の磁束が変化し、第1の磁界は、電子部品によって発生する。電磁誘導原理より、変化する磁束内の導体は起電力を発生しうることが分かる。すなわち、コイル11における第1の磁界の磁束が変化するに従い、コイル11は第1の電気信号を生成し、第1の電気信号も磁束と共に変化する。
【００４９】
本発明の本実施形態の第1の電気信号は電流または電圧とすることができ、これについては本発明の本実施形態では限定されないことに留意されたい。
【００５０】
具体的には、プロセッサ12は、磁束の変化を検出するように構成されており、第1の電気信号の変化が所定の第1のモデルと一致する場合に、ターゲット接続部品の識別情報が所定の識別子と同じであるかどうかを判定する、ように構成されている。
【００５１】
プロセッサ12は、ターゲット接続部品の識別情報が所定の識別子と異なる場合に、電子部品を駆動して電子デバイスから切断させる、ようにさらに構成されている。
【００５２】
本発明の本実施形態のターゲット接続部品は、データカードであってもよく、メモリカードであってもよく、または別のインテリジェント電子部品内のチップであってもよく、これについては本発明の本実施形態では限定されない。ターゲット接続部品は、電子デバイスによって通信またはデータ伝送に用いられる部品である。
【００５３】
例えば、ターゲット接続部品は、電子デバイスにおけるSDカード、SIMカード、マルチメディアカード（MMC、Multimedia Card）、ミニSDカード、メモリスティック、スマートカード、マイクロSDカードなどである。ターゲット接続部品の識別情報は、ターゲット接続部品の通し番号であってもよく、ターゲット接続部品のIDであってもよく、これについては本発明の本実施形態では限定されない。
【００５４】
加えて、本発明の本実施形態の電子部品は、電子インターフェースを用いてターゲット接続部品を収容するか、またはターゲット接続部品に接続される。少なくとも1つの、例えば2つや、2つ以上のターゲット接続部品があり、これについては本発明の本実施形態では特に限定されない。
【００５５】
好ましくは、電子部品の電子インターフェースはスロットである。この場合には、ターゲット接続部品はデータカード（またはメモリカード）であり、したがって、データカード（またはメモリカード）はスロットの溝に配置することができ、溝の大きさはデータカード（メモリカード）の大きさに適合しうる。
【００５６】
具体的には、どれほど多くのターゲット接続部品が電子部品に含まれていても、ターゲット接続部品に対してプロセッサ12によって行われうる処理は同じ処理であり、プロセッサ12は、ターゲット接続部品の識別情報が所定の識別子と同じであるかどうかを判定し、所定の識別子はターゲット接続部品に対応する識別子である。ターゲット接続部品の識別子が所定の識別子と異なると判定する限り、プロセッサ12は電子部品を駆動して電子デバイスから切断させる。
【００５７】
例えば、電子デバイスが、SIMカードが装着されていない携帯電話機であり、電子部品が永久磁石特性を有するスロットである場合、スロットはSIMカードを収容することができる。SIMカードの識別情報は、国際移動体加入者識別番号（IMSI、International Mobile Subscriber Identification Number）である。
【００５８】
任意選択で、携帯電話機はただ1つのスロットポートを有し、永久磁石特性を有するスロットは1枚だけのSIMカードを収容することができる応用シナリオにおいて、携帯電話機のプロセッサは、スロットに収容されたSIMカードの国際移動体加入者識別番号（IMSI、International Mobile Subscriber Identification Number）が所定の識別子と同じであるかどうかを判定する。SIMカードのIMSIが所定の識別子と異なる場合に、プロセッサはスロットを駆動して携帯電話機から切断させ、すなわち、スロットに収容されたSIMを正常に使用することができない。
【００５９】
任意選択で、携帯電話機は2つのスロットポートを含み、永久磁石特性を有するスロットは1枚だけのSIMカードを収容することができ、携帯電話機はSIMカードAおよびSIMカードBをそれぞれ収容するための2つのスロットを有する応用シナリオにおいて、携帯電話機のプロセッサは2つのスロットを、前述の応用シナリオの場合と同様に処理する。携帯電話機のプロセッサがSIMカードAのIMSIはその所定の識別子と同じであると判定した場合には、SIMカードAを携帯電話機において正常に使用することができる。携帯電話機のプロセッサがSIMカードBのIMSIはその所定の識別子と異なると判定した場合には、プロセッサは、SIMカードBを収容しているスロットを駆動して携帯電話機から切断させ、すなわち、SIMカードBを携帯電話機において正常に使用することができない。
【００６０】
任意選択で、携帯電話機はただ1つのスロットポートを有し、永久磁石特性を有するスロットは少なくとも1枚のSIMカードを収容することができ、例えば、スロットは2枚のSIMカードを収容する応用シナリオにおいて、携帯電話機のプロセッサは、2枚のSIMカードのIMSIがSIMカードの所定の識別子と同じであるかどうかを別々に判定する。第1の可能な実施態様において、両方のSIMカードのIMSIが所定の識別子と同じである場合には、両方のSIMを携帯電話機において正常に使用することができる。第2の可能な実施態様において、SIMカードの一方のIMSIがその所定の識別子と異なる場合には、携帯電話機のプロセッサは、スロットに収容されたSIMカードのどちらも正常に使用することができないように、このスロットを駆動して携帯電話機から切断させる。第3の可能な実施態様において、SIMカードの一方のIMSIがその所定の識別子と異なる場合には、携帯電話機は、このスロットと携帯電話機との間の接続状態を保持してよく、そのIMSIが所定の識別子と異なるSIMカードを使用不可にする。すなわち、SIMカードの一方は正常に使用することができ、他方のSIMカードは正常に使用することができない。
【００６１】
さらに、プロセッサ12は、識別情報が所定の識別子と同じである場合に、第1の制御信号を生成する、ようにさらに構成されている。
【００６２】
さらに、コイル11は、第1の制御信号に従って第2の電気信号を生成し、第2の電気信号に従って第2の磁界を発生させるように特に構成されており、第2の磁界の磁力は、電子部品を駆動して電子デバイスにしっかりと接続させるために用いられる。
【００６３】
具体的には、プロセッサ12が、ターゲット接続部品の識別情報は所定の識別子と同じであると判定した場合に、それは、ターゲット接続部品を電子デバイスにおいて正常に使用することができることを示す。これに対応して、プロセッサは第1の制御信号を生成し、第1の制御信号はコイル11を駆動して第2の電気信号を生成させるために用いられる。これに対応して、コイル11によって生成された第2の電気信号を用いて第2の磁界が発生しうる。第2の磁界の磁力は、電子部品を駆動して電子デバイスにしっかりと接続させるために、すなわち、電子部品を駆動して、電子デバイスにより密接に接続させるために用いられ、これは電子部品と電子デバイスとの間のロックイン状態に相当し、それによって、電子部品と電子デバイスとの間の接触不良が原因で生じる通信障害問題が防止され、電子デバイスの使用上のセキュリティがさらに向上する。
【００６４】
本発明の本実施形態の第2の電気信号は電流または電圧とすることができ、これについては本発明の本実施形態では限定されないことに留意されたい。
【００６５】
第2の電気信号を用いて生成された第2の磁界の磁力は、電子部品を駆動して電子デバイスにしっかりと接続させるために用いられ、第1の電気信号は第1の磁界の磁束の変化に従って生成され、第1の磁界の磁力は、電子部品を駆動して電子デバイスに接続させるために用いられる。レンツの法則より、第1の電気信号と第2の電気信号は同じ方向を有することが分かる。
【００６６】
さらに、プロセッサ12は、命令情報を獲得するようにさらに構成されており、命令情報は電子部品を駆動して電子デバイスから切断させるために用いられる。
【００６７】
好ましくは、命令情報は電子デバイス上でアプリケーションを用いてユーザによって入力された情報であり、命令情報は電子部品を駆動して電子デバイスから切断させるために用いられ、セキュアなディジタルパスワードであってもよく、グラフィカルパスワードといった他の関連情報であってもよい。
【００６８】
アプリケーションは、1つまたは複数の特定のタスクを完了するために開発された、オペレーティングシステム上で動作するコンピュータプログラムをいう。本発明の本実施形態のアプリケーションは、電子デバイス上で動作するシステムと互換性を有するアプリケーションである。
【００６９】
電子デバイス上で動作するシステムは、Androidオペレーティングシステムであってもよく、iOSといった別のシステムであってもよく、これについては本発明の本実施形態では限定されない。電子デバイス上で動作するシステムは、Androidオペレーティングシステムであってもよく、別のシステムであってもよいため、アプリケーションの形式もシステムと共に変わる。
【００７０】
例えば、電子デバイス上で動作するシステムがAndroidオペレーティングシステムである場合、アプリケーションはAPK（Application Package File、アプリケーション・パッケージ・ファイル）である。
【００７１】
APKは、Androidオペレーティングシステム上のアプリケーション・インストール・ファイル形式である。Androidデバイス上で動作させる前に、Androidアプリケーションのコードはまずコンパイルされ、次いでAndroidオペレーティングシステムが識別可能なファイルにパックされる必要がある。Androidオペレーティングシステムが識別し、動作させることができるこのファイル形式がAPKである。APKファイルには、コンパイル済みコードファイル（.dexファイル）、ファイルリソース（resources）、ファイルアクセス（assets）、証明書（certificates）、およびマニフェストファイル（manifest file）が含まれる。
【００７２】
例えば、電子デバイスはSIMカードが装着されたスマートフォンであり、スマートフォン上にはアプリケーションAがインストールされており、アプリケーションAにおいてセキュアなディジタルパスワード入力が設定されている場合に、ユーザがアプリケーションAを用いて、携帯電話機のSIMカードスロットの排出機構を駆動するディジタルパスワードを入力すると、携帯電話機のプロセッサはユーザが入力したディジタルパスワードを獲得する。
【００７３】
さらに、プロセッサ12は、命令情報を獲得した後で、電子部品を駆動して電子デバイスから切断させるようにさらに構成されている。
【００７４】
さらに、プロセッサ12は、命令情報を取得した後で、命令情報が命令検証情報と同じであるかどうかを判定する、ようにさらに構成されている。
【００７５】
さらに、プロセッサ12は、命令情報が命令検証情報と同じである場合に、電子部品を駆動して電子デバイスから切断させる、ようにさらに構成されている。
【００７６】
具体的には、命令情報を獲得した後で、プロセッサ12は、命令情報の判定を行い、命令情報が命令検証情報と同じであるかどうかを判定し、命令情報が命令検証情報と同じである場合に、電子部品を駆動して電子デバイスから切断させる。
【００７７】
例えば、電子デバイスはSIMカードが装着されたスマートフォンであり、スマートフォン上にはアプリケーションAがインストールされており、アプリケーションAにおいてセキュアなディジタルパスワード入力が設定されている場合に、ユーザがアプリケーションAを用いて、携帯電話機のSIMカードスロットの排出機構を駆動するディジタルパスワードを入力すると、携帯電話機のプロセッサはユーザが入力したディジタルパスワードを獲得する。ユーザが入力したディジタルパスワードは所定のディジタルパスワードと同じであると判定すると、プロセッサはスロットを駆動してスマートフォンから切断させ、すなわち、スマートフォンからのスロットを排出させる。
【００７８】
さらに、プロセッサ12は、識別情報が所定の識別子と異なる場合に、第2の制御信号を生成する、ように特に構成されている。
【００７９】
具体的には、識別情報が所定の識別子と異なる場合に、または命令情報が命令検証情報と同じである場合に、プロセッサ12は、第2の制御信号を生成し、電子部品は、第2の制御信号の影響下で電子デバイスから切断される。
【００８０】
この応用シナリオでは、ユーザが機械的レバーを作動させるだけで電子デバイスにおいてカードを変更することができることにより電子デバイスにおける情報の漏洩が生じる可能性があるという先行技術の不都合点と比べて、本発明の本実施形態の電子デバイスは、ユーザが、電子部品に収容された、または電子部品に接続されたターゲット接続部品を変更するために、ユーザによって入力され、電子デバイスを駆動して電子部品から切断させるために用いられる命令情報を受け取った後で、命令情報の識別に成功した後で初めて、切断を完了することができ、それによって、電子デバイスにおける情報のセキュリティがより適切に保護される。
【００８１】
さらに、コイル11は、第2の制御信号に従って第3の電気信号を生成し、第3の電気信号を用いて第2の磁界を発生させるように特に構成されており、第2の磁界の磁力は、電子部品を駆動して電子デバイスから切断させるために用いられる。
【００８２】
さらに、プロセッサ12は、第3の電気信号の変化が所定の第2のモデルと一致するかどうかを検出し、第3の電気信号の変化が所定の第2のモデルと一致する場合に、コイル11を駆動して第3の電気信号の生成を停止させるようにさらに構成されている。
【００８３】
具体的には、電子部品が電子デバイスからすでに切断されているかどうかを検証するため、または電子部品と電子デバイスとの距離がすでに要件を満たしているかどうかを検出するために、電子デバイスのプロセッサ12は、第3の電気信号の変化が所定の第2のモデルと一致するかどうかを検出する必要があり、第3の電気信号の変化が所定の第2のモデルと一致する場合に、コイル11を駆動して第3の電気信号の生成を停止させ、それによって、電子デバイスの大電力消費の問題が回避される。
【００８４】
本発明の本実施形態の所定の第2のモデルは、第3の電気信号の変化の座標図であってもよく、第3の電気信号の変化率の折れ線グラフであってもよく、これについては本発明の本実施形態では限定されないことに留意すべきである。
【００８５】
さらに、ターゲット接続部品はデータカードまたはメモリカードであり、ターゲット接続部品の識別情報はターゲット接続部品の通し番号または識別IDである。
【００８６】
本発明の本実施形態は電子デバイスを提供する。本電子デバイスは、電子デバイスにおける第1の磁界の磁束の変化を検出し、磁束の変化に従って第1の電気信号を生成し、第1の磁界は、電子部品によって発生し、第1の磁界の磁力は、電子部品を駆動して電子デバイスに接続させるために用いられ、電子部品は、ターゲット接続部品を収容するか、またはターゲット接続部品に接続される。電磁誘導原理より、電子デバイスにおける第1の磁界の磁束の変化は、電子デバイスに第1の電気信号を生成させることができることが分かり、第1の磁界は、電子部品によって発生し、磁束の変化は、第1の電気信号の変化を生じさせることができる。第1の電気信号の変化が所定の第1のモデルと一致する場合に、電子デバイスは、ターゲット接続部品の識別情報が所定の識別子と同じであるかどうかを判定し、ターゲット接続部品の識別情報が所定の識別子と異なる場合に、電子デバイスは電子部品を駆動して電子デバイスから切断させる。
【００８７】
この解決策を用いて、電子デバイスは、プログラム論理制御により、電子部品によって収容された、または電子部品に接続されたターゲット接続部品が許可されているかどうかの判定、すなわち、ターゲット接続部品の識別情報が所定の識別子と同じであるかどうかの判定を行い、ターゲット接続部品が許可されていないと判定した場合に、電子デバイスは電子部品を駆動して電子デバイスから切断させる。このようにして、不正なターゲット接続部品が電子デバイスに接続された後でそのターゲット接続部品を正常に使用することができないことが保証され、それによって、電子デバイスのセキュリティが向上する。
【００８８】
実施形態2
図2に示すように、本発明の本実施形態は電子部品を提供し、本電子部品は、電子インターフェース20を含む永久磁石装置21を含むことができ、電子インターフェース20は永久磁石装置21に物理的に接続されている。
【００８９】
具体的には、永久磁石装置21は、第1の磁界を発生させるように構成されており、第1の磁界の磁力は、電子部品が電子デバイスに接続されようとするときに、電子部品を駆動して電子デバイスに接続させるために用いられる。
【００９０】
本発明の本実施形態の永久磁石装置21は、永久磁石であってもよく、永久磁石特性を有する別の装置であってもよく、これについては本発明の本実施形態では限定されない。
【００９１】
本発明の本実施形態の永久磁石装置21は、磁化された後で一定の磁気を保持することができ、合金永久磁石材料とすることもでき、フェライト永久磁石材料とすることもできる材料を用い、これについては本発明の本実施形態では限定されない。加えて、永久磁石装置21の形状特性も本発明の本実施形態では限定されず、その形状は円柱であってもよく、直方体であってもよい。
【００９２】
本発明の本実施形態の永久磁石装置21は永久磁石の性能を有するため、永久磁石装置21における電子レイアウトは特定の方向を呈し、規則的な分子電流によって外側へ反射されるため、第1の磁界が発生する。
【００９３】
さらに、電子インターフェース20は、ターゲット接続部品を収容するか、またはターゲット接続部品に接続されるように構成されており、ターゲット接続部品は、電子デバイスによって電子デバイスと通信を行うために用いられるか、または電子デバイスとデータ伝送を行うために用いられる。
【００９４】
本発明の本実施形態のターゲット接続部品は、データカードであってもよく、メモリカードであってもよく、または別のインテリジェント電子部品内のチップであってもよく、これについては本発明の本実施形態では限定されない。ターゲット接続部品は、電子デバイスによって通信またはデータ伝送に用いられる部品である。
【００９５】
例えば、ターゲット接続部品は、電子デバイスにおけるSDカード、SIMカード、マルチメディアカード（MMC、Multimedia Card）、ミニSDカード、メモリスティック、スマートカード、マイクロSDカードなどである。
【００９６】
本発明の本実施形態の電子インターフェース20は、少なくとも1つのターゲット接続部品を収容するか、または少なくとも1つのターゲット接続部品に接続されうることに留意すべきである。
【００９７】
好ましくは、電子インターフェース20はスロットであり、スロットは永久磁石装置21に堅固に接続されている。
【００９８】
堅固な接続とは、2つの接続部品間で、一方の部品がずれを生じたか、または一方の部品に力がかかったときに、その部品に接続された他方の部品はいかなるずれも生じず、この部品に対して相対的に変形もしないことを意味する。例えば、2つの接続部品は、溶接やボルト結合といった機械的接続によって1つの全体として接続されている。
【００９９】
例えば、電子インターフェースがスロットであり、ターゲット接続部品がSIMカードである場合に、スロットは1枚または複数のSIMカードを収容することができる。
【０１００】
本発明の本実施形態は電子部品を提供し、本電子部品は電子インターフェースを含む永久磁石装置を含み、永久磁石装置は、第1の磁界を発生させるように構成されており、第1の磁界の磁力は、電子部品が電子デバイスに接続されようとするときに、電子部品を駆動して電子デバイスに接続させるために用いられる。本解決策によれば、電子部品は永久磁石装置を含み、永久磁石装置は、電子部品と電子デバイスとの間の接続／切断を、磁力によって行うことができる。
【０１０１】
実施形態3
図3に示すように、本発明の本実施形態はユーザ機器を提供し、本ユーザ機器は、少なくとも1台の電子デバイス1と電子部品1とを含む。電子部品1が電子デバイス1に接続されているときに、電子デバイス1と電子部品との間には電磁誘導（図3に破線で表されている）が存在する。
【０１０２】
電子デバイス1は実施形態1に記載されている任意の特性を有する電子デバイスを含み、電子部品1は実施形態2に記載されている任意の特性を有する電子部品を含む。
【０１０３】
本発明の本実施形態はユーザ機器を提供し、本ユーザ機器は、少なくとも1台の電子デバイスと電子部品とを含む。具体的には、電子デバイスは、電子部品によって発生させられる電子デバイスにおける第1の磁界の磁束の変化を検出し、磁束の変化に従って第1の電気信号を生成し、第1の磁界の磁力は、電子部品を駆動して電子デバイスに接続させるために用いられ、電子部品は、ターゲット接続部品を収容するか、またはターゲット接続部品に接続される。電磁誘導原理より、電子デバイスにおける第1の磁界の磁束の変化は、電子デバイスに第1の電気信号を生成させることができることが分かり、第1の磁界は、電子部品によって発生し、磁束の変化は第1の電気信号の変化を生じさせることができる。第1の電気信号の変化が所定の第1のモデルと一致する場合に、電子デバイスは、ターゲット接続部品の識別情報が所定の識別子と同じであるかどうかを判定し、ターゲット接続部品の識別情報が所定の識別子と異なる場合に、電子デバイスは電子部品を駆動して電子デバイスから切断させる。
【０１０４】
この解決策を用いて、電子デバイスは、プログラム論理制御により、電子部品によって収容された、または電子部品に接続されたターゲット接続部品が許可されているかどうかの判定、すなわち、ターゲット接続部品の識別情報が所定の識別子と同じであるかどうかの判定を行い、ターゲット接続部品が許可されていないと判定した場合に、電子デバイスは電子部品を駆動して電子デバイスから切断させる。このようにして、不正なターゲット接続部品が電子デバイスに接続された後でそのターゲット接続部品を正常に使用することができないことが保証され、それによって、電子デバイスのセキュリティが向上する。
【０１０５】
実施形態4
本発明の本実施形態は、接続／切断方法を提供する。図4に示すように、本切断方法は以下を含む。
【０１０６】
S101．電子デバイスが、電子デバイスにおける第1の磁界の磁束の変化を検出し、磁束の変化に従って第1の電気信号を生成し、第1の磁界は、電子部品によって発生する。
【０１０７】
第1の磁界の磁力は、電子部品を駆動して電子デバイスに接続させるために用いられ、電子部品は、ターゲット接続部品を収容するか、またはターゲット接続部品に接続される。
【０１０８】
本発明の本実施形態の電子デバイスはユーザインターフェースを含む任意の装置とすることができ、これについては本発明の本実施形態では限定されない。例えば、電子デバイスは、SIMカードスロットが搭載されていない携帯電話機であってもよく、ヘッドセットが接続されていない携帯電話機であってもよく、電子展示ブースに設置された盗難防止ロックなしの電子デバイスであってもよい。
【０１０９】
電子デバイスは、携帯電話機（または「セルラ」電話機と呼ばれる）であってもよく、携帯型、ポケットサイズ、ハンドヘルド型、コンピュータ内蔵式、あるいは車載モバイル装置といった、移動端末を備えるコンピュータであってもよい。
【０１１０】
本発明の本実施形態の電子部品は、永久磁石装置であってもよく、永久磁石特性を有する別の装置であってもよい。電子部品は電子インターフェースを含む。電子インターフェースは、ターゲット接続部品に接続されるか、またはターゲット接続部品を収容し、電子部品は、第1の磁界を発生させることができる。電子部品が電子デバイスに接続されようとするときに、第1の磁界の磁力は、電子部品を駆動して電子デバイスに接続させるために用いられる。
【０１１１】
具体的には、本発明の本実施形態の永久磁石装置内部の電子レイアウトは特定の方向を呈し、規則的な分子電流によって外側へ反射されるため、第1の磁界が発生する。永久磁石装置は永久磁石の性能を有し、磁化された後で一定の磁気を保持することができ、合金永久磁石材料とすることもでき、フェライト永久磁石材料とすることもできる材料を用い、これについては本発明の本実施形態では限定されない。加えて、永久磁石装置の形状特性も本発明の本実施形態では限定されず、その形状は円柱であってもよく、直方体であってもよい。
【０１１２】
本発明の本実施形態の電子部品によって発生させられる第1の磁界の両極の分布位置は、本発明の本実施形態では限定されないことに留意すべきである。任意選択で、電子部品の、電子デバイスの反対側に配置された一端がN（北）極であり、他端がS（南）極であるか、または、電子デバイスの反対側に配置された一端がS（南）極であり、他端がN（北）極である。
【０１１３】
具体的には、電子部品が電子デバイスに接続されようとするときに、電子デバイスは、電子デバイスにおける第1の磁界の磁束の変化を検出することができ、磁束の変化に従って第1の電気信号を生成する。
【０１１４】
磁束は、所与の曲面を通過する磁界の大きさの尺度である。平面を通過する磁束の大きさは、平面における磁気誘導線の量によって比喩的に描写することができる。同じ磁界においては、磁気誘導線はより高い磁気誘導強度を有する場所でより密である。電子部品が電子デバイスに接続されようとするときに、電子部品は、第1の磁界の磁力の影響下で電子デバイスにますます近づき、電子デバイスにおける第1の磁界の磁束が変化し、第1の磁界は、電子部品によって発生する。電磁誘導原理より、変化する磁束内の導体は起電力を発生しうることが分かる。すなわち、電子デバイスにおける第1の磁界の磁束が変化するに従い、電子デバイスは第1の電気信号を生成し、第1の電気信号も磁束と共に変化する。
【０１１５】
さらに、本発明の本実施形態の電子デバイスは磁気媒体と、磁気媒体の側面を取り巻くコイルと、プロセッサとを含む。
【０１１６】
磁気媒体は、磁化状態が磁界の影響下で変化する材料をいう。本発明の本実施形態の磁気媒体は鉄心とすることができる。鉄心は軟鉄またはケイ素鋼材料を用いることができ、これについては本発明の本実施形態では限定されない。
【０１１７】
具体的には、電子部品が電子デバイスに接続されようとするときに、磁気媒体は、第1の磁界の影響下で第1の磁界によって磁化され、第1の磁界の磁力の影響下で電子部品に接続される。
【０１１８】
例えば、図5に示すように、電子部品における永久磁石装置は直方体形状であり、永久磁石装置の左端はN極（北極）であり、右端はS極（南極）である。図5において、Eは永久磁石装置を表している。永久磁石装置によって生成された第1の磁界の分布が図5に矢印付き実線で表されており、Aは電子デバイスを表し、cは磁気媒体を表し、aはコイルを表す。永久磁石装置が電子デバイスに接近するときに、磁気媒体cは、永久磁石装置Eによって発生させられる第1の磁界によって磁化される。この場合には、磁気媒体cにおける永久磁石モジュールの反対側に配置された極（すなわち、永久磁石の右端）はS極である。第1の磁界の磁力の影響下で、磁気媒体は永久磁石装置に接続される。
【０１１９】
さらに、磁気媒体と永久磁石装置との距離が変化するに従い、コイルにおける第1の磁界の磁束もしかるべく変化する。電磁誘導原理より、変化する磁束内の導体は起電力を発生しうることが分かる。すなわち、コイルの磁束が変化するに従い、コイルは第1の電気信号を生成する。
【０１２０】
第1の電気信号は電流または電圧とすることができ、これについては本発明の本実施形態では限定されない。具体的には、電流の向きや電圧の正極または負極は、レンツの法則に従って決定されうる。
【０１２１】
例えば、図6に示すように、永久磁石装置Eの左端はN極であり、右端はS極である。永久磁石装置によって発生した第1の磁界の分布が図6に矢印付き実線で表されており、Aは電子デバイスを表し、cは磁気媒体を表し、aはコイルを表す。永久磁石装置Eが電子デバイスAに接近するときに、磁気媒体cは磁化され、磁気媒体の右端はS極である。永久磁石装置Eと電子デバイスAとの距離が変化するに従い、コイルaにおける第1の磁界の磁束が変化する。変化した磁束はコイルaを作動させて第1の電気信号を生成させる。図6において、矢印付き破線はコイルにおける第1の磁界を表し、電流は第1の電気信号を表す。レンツの法則より、電流の方向は図6でコイル上に示される方向であることが分かる。
【０１２２】
S102．第1の電気信号の変化が所定の第1のモデルと一致する場合に、電子デバイスは、ターゲット接続部品の識別情報が所定の識別子と同じであるかどうかを判定する。
【０１２３】
電子デバイスによって生成される第1の電気信号は磁束と共に変化する。第1の電気信号の変化が所定の第1のモデルと一致するときに、電子デバイスは、ターゲット接続部品の識別情報が所定の識別子と同じであるかどうかを判定する。
【０１２４】
本発明の本実施形態のターゲット接続部品は、データカードであってもよく、メモリカードであってもよく、または別のインテリジェント電子部品内のチップであってもよく、これについては本発明の本実施形態では限定されない。ターゲット接続部品は、電子デバイスによって通信またはデータ伝送に用いられる部品である。
【０１２５】
例えば、ターゲット接続部品は、電子デバイスにおけるSDカード、SIMカード、マルチメディアカード（MMC、Multimedia Card）、ミニSDカード、メモリスティック、スマートカード、マイクロSDカードなどである。ターゲット接続部品の識別情報は、ターゲット接続部品の通し番号であってもよく、ターゲット接続部品のIDであってもよく、これについては本発明の本実施形態では限定されない。
【０１２６】
加えて、本発明の本実施形態の電子部品は、電子インターフェースを用いてターゲット接続部品を収容するか、またはターゲット接続部品に接続される。少なくとも1つの、例えば2つや、2つ以上のターゲット接続部品があり、これについては本発明の本実施形態では特に限定されない。
【０１２７】
好ましくは、電子部品の電子インターフェースはスロットである。この場合には、ターゲット接続部品はデータカード（またはメモリカード）であり、したがって、データカード（またはメモリカード）はスロットの溝に配置することができ、溝の大きさはデータカード（メモリカード）の大きさに適合しうる。
【０１２８】
具体的には、どれほど多くのターゲット接続部品が電子部品に含まれていても、ターゲット接続部品に対して電子デバイスによって行われうる処理は同じ処理であり、電子デバイスは、ターゲット接続部品の識別情報が所定の識別子と同じであるかどうかを判定し、所定の識別子はターゲット接続部品に対応する識別子である。
【０１２９】
電子デバイスと電子部品との距離がますます短くなると、電子デバイスにおける第1の磁界の磁束の変化は0から最大値へと増加し、次いで最大値から0へと減少することが理解されうる。磁束が変化するに従い、第1の電気信号の変化も特定の変化傾向を呈しうる。第1の電気信号の変化傾向が所定の第1のモデルと一致するとき、それは電子部品が電子デバイスに完全に接続されていることを示す。
【０１３０】
本発明の本実施形態の所定の第1のモデルは、第1の電気信号の変化の座標図であってもよく、第1の電気信号の変化率の折れ線グラフであってもよく、これについては本発明の本実施形態では限定されないことに留意すべきである。
【０１３１】
具体的には、第1の電気信号の変化が所定の第1のモデルと一致する場合に、電子デバイスはターゲット接続部品の識別情報を読み取り、次いで読み取った識別情報を事前に記憶された所定の識別子と比較する。読み取った識別情報が所定の識別子と同じである場合に、それはターゲット接続部品が許可されたターゲット接続部品であることを示し、そうでない場合、それはターゲット接続部品が許可されていないことを示す。
【０１３２】
例えば、電子デバイスが、SIMカードが装着されていない携帯電話機であり、電子部品が永久磁石特性を有するスロットであり、スロットがSIMカードを収容することができる場合に、携帯電話機はSIMカードのIMSIを読み取り、検出することができる。事前に記憶された所定の第1のIMSIが460030912121001であり、携帯電話機に接続されているスロットに収容されたSIMカードのIMSIが460030912121012である場合、携帯電話機は、SIMカードのIMSI460030912121012を読み取った後で、読み取ったIMSIを事前に記憶された所定の第1のIMSIと比較する。460030912121012は460030912121001と異なり、したがって、このSIMを接続された携帯電話機で正常に使用することはできず、すなわち、このSIMは不正なカードである。
【０１３３】
ターゲット接続部品の識別情報が所定の識別子と同じである場合に、電子デバイスは電子部品に接続されたままであり、ターゲット接続部品の識別情報が所定の識別子と異なる場合に、電子デバイスはS103を行う。
【０１３４】
S103．ターゲット接続部品の識別情報が所定の識別子と異なる場合に、電子デバイスは、電子部品を駆動して電子デバイスから切断させる。
【０１３５】
具体的には、電子デバイスが、ターゲット接続部品の識別情報は所定の識別子と異なると判定した場合に、それはターゲット接続部品が不正な、または無効なターゲット接続部品であることを示し、したがって、電子デバイスのプロセッサは第2の制御信号を生成する。第2の制御信号の影響下で、電子デバイスは電子部品から切断され、それによって、不正なターゲット接続部品が電子デバイスに接続され、正常に使用されることが回避され、電子デバイスのセキュリティが保証される。
【０１３６】
さらに、コイルは、第2の制御信号に従って第3の電気信号を生成し、第3の電気信号を用いて第2の磁界を発生させ、第2の磁界の磁力は、電子部品を駆動して電子デバイスから切断させるために用いられる。
【０１３７】
第3の電気信号は電流または電圧とすることができ、これについては本発明の本実施形態では限定されない。具体的には、電流の向きや電圧の正極または負極は、レンツの法則に従って決定されうる。
【０１３８】
理解されるように、第2の磁界の磁力は、磁界における同極の反発に従って、電子部品を駆動して電子デバイスから切断させるために用いられるため、第2の磁界の極分布は、電子部品の、電子デバイスと反対側に配置された極は同じ磁性を有する、というものであることが分かる。
【０１３９】
例えば、図7に示すように、永久磁石装置の極分布は、左端はN極であり、右端はS極である、というものである。図7において、Eは永久磁石装置を表している。第1の磁界の分布が矢印付き実線で表されており、Aは電子デバイスを表し、cは磁気媒体を表し、aはコイルを表す。第2の制御信号を生成した後で、プロセッサはコイルを駆動して第3の電気信号を生成させる。図7において、電流は第3の電気信号を表すために用いられており、電流の方向は図7でコイル上に示される方向である。電流が磁界を発生させるという現象から、コイルが第3の電気信号を生成した後で、コイルの周囲に第2の磁界が発生しうることがわかる。レンツの法則によれば、第2の磁界の極は、右端はN極であり、左端はS極である、というものであることがわかる。第2の磁界の分布は図7に矢印付き破線で表されている。第2の磁界の右端はN極であり、第1の磁界の左端はN極であるため、電子部品は磁力の影響下で電子デバイスから切断される。
【０１４０】
さらに、電子部品が電子デバイスから完全に切断されているかどうかを判定するために、電子デバイスは、コイルにおける第3の電気信号の変化が所定の第2のモデルと一致するかどうかをさらに検出する必要があり、第2の電気信号の変化が所定の第2のモデルと一致する場合に、電子デバイスは、コイルを駆動して第3の電気信号の生成を停止させる。
【０１４１】
本発明の本実施形態の所定の第2のモデルは、第3の電気信号の変化の座標図であってもよく、第3の電気信号の変化率の折れ線グラフであってもよく、これについては本発明の本実施形態では限定されない。
【０１４２】
本発明の本実施形態は、接続／切断方法を提供する。電子デバイスは、電子デバイスにおける第1の磁界の磁束の変化を検出し、磁束の変化に従って第1の電気信号を生成し、第1の磁界は、電子部品によって発生し、第1の磁界の磁力は、電子部品を駆動して電子デバイスに接続させるために用いられ、電子部品は、ターゲット接続部品を収容するか、またはターゲット接続部品に接続される。電磁誘導原理より、電子デバイスにおける第1の磁界の磁束の変化は、電子デバイスに第1の電気信号を生成させることができることが分かり、第1の磁界は、電子部品によって発生し、磁束の変化は、第1の電気信号の変化を生じさせることができる。第1の電気信号の変化が所定の第1のモデルと一致する場合に、電子デバイスは、ターゲット接続部品の識別情報が所定の識別子と同じであるかどうかを判定し、ターゲット接続部品の識別情報が所定の識別子と異なる場合に、電子デバイスは電子部品を駆動して電子デバイスから切断させる。
【０１４３】
この解決策を用いて、電子デバイスは、プログラム論理制御により、電子部品によって収容された、または電子部品に接続されたターゲット接続部品が許可されているかどうかの判定、すなわち、ターゲット接続部品の識別情報が所定の識別子と同じであるかどうかの判定を行い、ターゲット接続部品が許可されていないと判定した場合に、電子デバイスは電子部品を駆動して電子デバイスから切断させる。このようにして、不正なターゲット接続部品が電子デバイスに接続された後でそのターゲット接続部品を正常に使用することができないことが保証され、それによって、電子デバイスのセキュリティが向上する。
【０１４４】
実施形態5
本発明の本実施形態は、接続／切断方法を提供する。図8に示すように、本接続／切断方法は以下を含む。
【０１４５】
S201．電子デバイスが、電子デバイスにおける第1の磁界の磁束の変化を検出し、磁束の変化に従って第1の電気信号を生成し、第1の磁界は、電子部品によって発生する。
【０１４６】
第1の磁界の磁力は、電子部品を駆動して電子デバイスに接続させるために用いられ、電子部品は、ターゲット接続部品を収容するか、またはターゲット接続部品に接続される。
【０１４７】
本発明の本実施形態の電子デバイスはユーザインターフェースを含む任意の装置とすることができ、これについては本発明の本実施形態では限定されない。例えば、電子デバイスは、SIMカードスロットが搭載されていない携帯電話機であってもよく、ヘッドセットが接続されていない携帯電話機であってもよく、電子展示ブースに設置された盗難防止ロックなしの電子デバイスであってもよい。
【０１４８】
電子デバイスは、携帯電話機（または「セルラ」電話機と呼ばれる）であってもよく、携帯型、ポケットサイズ、ハンドヘルド型、コンピュータ内蔵式、あるいは車載モバイル装置といった、移動端末を備えるコンピュータであってもよい。
【０１４９】
本発明の本実施形態の電子部品は、永久磁石装置であってもよく、永久磁石特性を有する別の装置であってもよい。電子部品は電子インターフェースを含む。電子インターフェースは、ターゲット接続部品に接続されるか、またはターゲット接続部品を収容し、電子部品は、第1の磁界を発生させることができる。電子部品が電子デバイスに接続されようとするときに、第1の磁界の磁力は、電子部品を駆動して電子デバイスに接続させるために用いられる。
【０１５０】
具体的には、本発明の本実施形態の永久磁石装置内部の電子レイアウトは特定の方向を呈し、規則的な分子電流によって外側へ反射されるため、第1の磁界が発生する。永久磁石装置は永久磁石の性能を有し、磁化された後で一定の磁気を保持することができ、合金永久磁石材料とすることもでき、フェライト永久磁石材料とすることもできる材料を用い、これについては本発明の本実施形態では限定されない。加えて、永久磁石装置の形状特性も本発明の本実施形態では限定されず、その形状は円柱であってもよく、直方体であってもよい。
【０１５１】
本発明の本実施形態の電子部品によって発生させられる第1の磁界の両極の分布位置は、本発明の本実施形態では限定されないことに留意すべきである。任意選択で、電子部品の、電子デバイスの反対側に配置された一端がN（北）極であり、他端がS（南）極であるか、または、電子デバイスの反対側に配置された一端がS（南）極であり、他端がN（北）極である。
【０１５２】
具体的には、電子部品が電子デバイスに接続されようとするときに、電子デバイスは、電子デバイスにおける第1の磁界の磁束の変化を検出することができ、磁束の変化に従って第1の電気信号を生成する。
【０１５３】
電子部品が電子デバイスに接続されようとするときに、電子部品は、第1の磁界の磁力の影響下で電子デバイスにますます近づき、電子デバイスにおける第1の磁界の磁束が変化し、第1の磁界は、電子部品によって発生する。電磁誘導原理より、変化する磁束内の導体は起電力を発生しうることが分かる。すなわち、電子デバイスにおける第1の磁界の磁束が変化するに従い、電子デバイスは第1の電気信号を生成し、第1の電気信号も磁束と共に変化する。
【０１５４】
さらに、本発明の本実施形態の電子デバイスは磁気媒体と、磁気媒体の側面を取り巻くコイルと、プロセッサとを含む。
【０１５５】
磁気媒体は、磁化状態が磁界の影響下で変化する材料をいう。本発明の本実施形態の磁気媒体は鉄心とすることができる。鉄心は軟鉄またはケイ素鋼材料を用いることができ、これについては本発明の本実施形態では限定されない。
【０１５６】
具体的には、電子部品が電子デバイスに接続されようとするときに、磁気媒体は、第1の磁界の影響下で第1の磁界によって磁化され、第1の磁界の磁力の影響下で電子部品に物理的に接続される。
【０１５７】
さらに、磁気媒体と永久磁石装置との距離が変化するに従い、コイルにおける第1の磁界の磁束もしかるべく変化する。電磁誘導原理より、変化する磁束内の導体は起電力を発生しうることが分かる。すなわち、コイルの磁束が変化するに従い、コイルは第1の電気信号を生成する。
【０１５８】
第1の電気信号は電流または電圧とすることができ、これについては本発明の本実施形態では限定されない。具体的には、電流の向きや電圧の正極または負極は、レンツの法則に従って決定されうる。
【０１５９】
例えば、図6に示すように、永久磁石装置Eの左端はN極であり、右端はS極である。永久磁石装置によって発生した第1の磁界の分布が図6に矢印付き実線で表されており、Aは電子デバイスを表し、cは磁気媒体を表し、aはコイルを表す。永久磁石装置Eが電子デバイスAに接近するときに、磁気媒体cは磁化され、磁気媒体の右端はS極である。永久磁石装置Eと電子デバイスAとの距離が変化するに従い、コイルaにおける第1の磁界の磁束が変化する。変化した磁束はコイルaを作動させて第1の電気信号を生成させる。図6において、矢印付き破線はコイルにおける第1の磁界を表し、電流は第1の電気信号を表す。レンツの法則より、電流の方向は図6でコイル上に示される方向であることが分かる。
【０１６０】
S202．第1の電気信号の変化が所定の第1のモデルと一致する場合に、電子デバイスは、ターゲット接続部品の識別情報が所定の識別子と同じであるかどうかを判定する。
【０１６１】
電子デバイスによって生成される第1の電気信号は磁束と共に変化する。第1の電気信号の変化が所定の第1のモデルと一致するときに、電子デバイスは、ターゲット接続部品の識別情報が所定の識別子と同じであるかどうかを判定する。
【０１６２】
本発明の本実施形態のターゲット接続部品は、データカードであってもよく、メモリカードであってもよく、または別のインテリジェント電子部品内のチップであってもよく、これについては本発明の本実施形態では限定されない。ターゲット接続部品は、電子デバイスによって通信またはデータ伝送に用いられる部品である。
【０１６３】
例えば、ターゲット接続部品は、電子デバイスにおけるSDカード、SIMカード、マルチメディアカード（MMC、Multimedia Card）、ミニSDカード、メモリスティック、スマートカード、マイクロSDカードなどである。ターゲット接続部品の識別情報は、ターゲット接続部品の通し番号であってもよく、ターゲット接続部品のIDであってもよく、これについては本発明の本実施形態では限定されない。
【０１６４】
加えて、本発明の本実施形態の電子部品は、電子インターフェースを用いてターゲット接続部品を収容するか、またはターゲット接続部品に接続される。少なくとも1つの、例えば2つや、2つ以上のターゲット接続部品があり、これについては本発明の本実施形態では特に限定されない。
【０１６５】
好ましくは、電子部品の電子インターフェースはスロットである。この場合には、ターゲット接続部品はデータカード（またはメモリカード）であり、したがって、データカード（またはメモリカード）はスロットの溝に配置することができ、溝の大きさはデータカード（メモリカード）の大きさに適合しうる。
【０１６６】
具体的には、どれほど多くのターゲット接続部品が電子部品に含まれていても、ターゲット接続部品に対して電子デバイスによって行われうる処理は同じ処理であり、電子デバイスは、ターゲット接続部品の識別情報が所定の識別子と同じであるかどうかを判定し、所定の識別子はターゲット接続部品に対応する識別子である。
【０１６７】
電子デバイスと電子部品との距離がますます短くなると、電子デバイスにおける第1の磁界の磁束の変化は0から最大値へと増加し、次いで最大値から0へと減少することが理解されうる。磁束が変化するに従い、第1の電気信号の変化も特定の変化傾向を呈しうる。第1の電気信号の変化傾向が所定の第1のモデルと一致するとき、それは電子部品が電子デバイスに完全に接続されていることを示す。
【０１６８】
本発明の本実施形態の所定の第1のモデルは、第1の電気信号の変化の座標図であってもよく、第1の電気信号の変化率の折れ線グラフであってもよく、これについては本発明の本実施形態では限定されないことに留意すべきである。
【０１６９】
具体的には、第1の電気信号の変化が所定の第1のモデルと一致する場合に、電子デバイスはターゲット接続部品の識別情報を読み取り、次いで読み取った識別情報を事前に記憶された所定の識別子と比較する。読み取った識別情報が所定の識別子と同じである場合に、それはターゲット接続部品が許可されたターゲット接続部品であることを示し、そうでない場合、それはターゲット接続部品が許可されていないことを示す。
【０１７０】
S203．ターゲット接続部品の識別情報が所定の識別子と異なる場合に、電子デバイスは、電子部品を駆動して電子デバイスから切断させる。
【０１７１】
具体的には、電子デバイスが、ターゲット接続部品の識別情報は所定の識別子と異なると判定した場合に、それはターゲット接続部品が不正な、または無効なターゲット接続部品であることを示し、したがって、電子デバイスのプロセッサは第2の制御信号を生成する。第2の制御信号の影響下で、電子デバイスは電子部品から切断され、それによって、不正なターゲット接続部品が電子デバイスに接続され、正常に使用されることが回避され、電子デバイスのセキュリティが保証される。
【０１７２】
さらに、コイルは、第2の制御信号に従って第3の電気信号を生成し、第3の電気信号を用いて第2の磁界を発生させ、第2の磁界の磁力は、電子部品を駆動して電子デバイスから切断させるために用いられる。
【０１７３】
第3の電気信号は電流または電圧とすることができ、これについては本発明の本実施形態では限定されない。具体的には、電流の向きや電圧の正極または負極は、レンツの法則に従って決定されうる。
【０１７４】
理解されるように、第2の磁界の磁力は、磁界における同極の反発に従って、電子部品を駆動して電子デバイスから切断させるために用いられるため、第2の磁界の極分布は、電子部品の、電子デバイスと反対側に配置された極は同じ磁性を有する、というものであることが分かる。
【０１７５】
例えば、図7に示すように、永久磁石装置の極分布は、左端はN極であり、右端はS極である、というものである。図7において、Eは永久磁石装置を表している。第1の磁界の分布が矢印付き実線で表されており、Aは電子デバイスを表し、cは磁気媒体を表し、aはコイルを表す。第2の制御信号を生成した後で、プロセッサはコイルを駆動して第3の電気信号を生成させる。図7において、電流は第3の電気信号を表すために用いられており、電流の方向は図7でコイル上に示される方向である。電流が磁界を発生させるという現象から、コイルが第3の電気信号を生成した後で、コイルの周囲に第2の磁界が発生しうることがわかる。レンツの法則に従って、第2の磁界の極は、右端はN極であり、左端はS極であると決定することができる。第2の磁界の分布は図7に矢印付き破線で表されている。第2の磁界の右端はN極であり、第1の磁界の左端はN極であるため、電子部品は磁力の影響下で電子デバイスから切断される。
【０１７６】
さらに、電子部品が電子デバイスから完全に切断されているかどうかを判定するために、電子デバイスは、コイルにおける第3の電気信号の変化が所定の第2のモデルと一致するかどうかをさらに検出する必要があり、第2の電気信号の変化が所定の第2のモデルと一致する場合に、電子デバイスは、コイルを駆動して第3の電気信号の生成を停止させる。
【０１７７】
本発明の本実施形態の所定の第2のモデルは、第3の電気信号の変化の座標図であってもよく、第3の電気信号の変化率の折れ線グラフであってもよく、これについては本発明の本実施形態では限定されない。
【０１７８】
具体的には、どれほど多くのターゲット接続部品が電子部品に含まれていても、ターゲット接続部品に対して電子デバイスによって行われうる処理は同じ処理であり、電子デバイスは、ターゲット接続部品の識別情報が所定の識別子と同じであるかどうかを判定し、所定の識別子はターゲット接続部品に対応する識別子である。ターゲット接続部品の識別子が所定の識別子と異なると判定する限り、電子デバイスは電子部品を駆動して電子デバイスから切断させる。
【０１７９】
例えば、電子デバイスが、SIMカードが装着されていない携帯電話機であり、電子部品が永久磁石特性を有するスロットである場合、スロットはSIMカードを収容することができる。SIMカードの識別情報は、国際移動体加入者識別番号（IMSI、International Mobile Subscriber Identification Number）である。
【０１８０】
任意選択で、携帯電話機はただ1つのスロットポートを有し、永久磁石特性を有するスロットは1枚だけのSIMカードを収容することができる応用シナリオにおいて、携帯電話機のプロセッサは、スロットに収容されたSIMカードの国際移動体加入者識別番号（IMSI、International Mobile Subscriber Identification Number）が所定の識別子と同じであるかどうかを判定する。SIMカードのIMSIが所定の識別子と異なる場合に、プロセッサはスロットを駆動して携帯電話機から切断させ、すなわち、スロットに収容されたSIMを正常に使用することができない。
【０１８１】
任意選択で、携帯電話機は2つのスロットポートを含み、永久磁石特性を有するスロットは1枚だけのSIMカードを収容することができ、携帯電話機はSIMカードAおよびSIMカードBをそれぞれ収容するための2つのスロットを有する応用シナリオにおいて、携帯電話機のプロセッサは2つのスロットを、前述の応用シナリオの場合と同様に処理する。携帯電話機のプロセッサがSIMカードAのIMSIはその所定の識別子と同じであると判定した場合には、SIMカードAを携帯電話機において正常に使用することができる。携帯電話機のプロセッサがSIMカードBのIMSIはその所定の識別子と異なると判定した場合には、プロセッサは、SIMカードBを収容しているスロットを駆動して携帯電話機から切断させ、すなわち、SIMカードBを携帯電話機において正常に使用することができない。
【０１８２】
任意選択で、携帯電話機はただ1つのスロットポートを有し、永久磁石特性を有するスロットは少なくとも1枚のSIMカードを収容することができ、例えば、スロットは2枚のSIMカードを収容する応用シナリオにおいて、携帯電話機のプロセッサは、2枚のSIMカードのIMSIがSIMカードの所定の識別子と同じであるかどうかを別々に判定する。第1の可能な実施態様において、両方のSIMカードのIMSIが所定の識別子と同じである場合には、両方のSIMを携帯電話機において正常に使用することができる。第2の可能な実施態様において、SIMカードの一方のIMSIがその所定の識別子と異なる場合には、携帯電話機のプロセッサは、スロットに収容されたSIMカードのどちらも正常に使用することができないように、このスロットを駆動して携帯電話機から切断させる。第3の可能な実施態様において、SIMカードの一方のIMSIがその所定の識別子と異なる場合には、携帯電話機は、このスロットと携帯電話機との間の接続状態を保持してよく、そのIMSIが所定の識別子と異なるSIMカードを使用不可にする。すなわち、SIMカードの一方は正常に使用することができ、他方のSIMカードは正常に使用することができない。
【０１８３】
S204．ターゲット接続部品の識別情報が所定の識別子と同じである場合に、電子デバイスは電子部品への接続状態を保持する。
【０１８４】
具体的には、電子デバイスが、ターゲット接続部品の識別情報は所定の識別子と同じであると判定した場合に、それはターゲット接続部品が許可された、または有効なターゲット接続部品であることを示し、したがって、電子デバイスに接続した後でターゲット接続部品を正常に使用することができ、よって電子デバイスは電子部品への接続状態を保持する。
【０１８５】
さらに、図9に示すように、電子デバイスが、ターゲット接続部品の識別情報は所定の識別子と同じであると判定した後で、すなわち、電子デバイスがS204を行った後で、電子デバイスはS205をさらに行うことができる。具体的には以下のとおりである。
【０１８６】
S205．電子デバイスは、電子デバイスが第2の電気信号を用いて第2の磁界を生成するように、第2の電気信号を生成し、第2の磁界の磁力は、電子部品を駆動して電子デバイスにしっかりと接続させるために用いられる。
【０１８７】
具体的には、電子デバイスと電子部品との間の接続をより密接にし、電子部品と電子デバイスとの間の接触不良が原因で生じる通信障害問題を防止するために、電子デバイスが、ターゲット接続部品の識別情報は所定の識別子と同じであると判定した後で、電子デバイスは、電子デバイスを電子部品にしっかりと接続させるために用いられる第2の電気信号を生成する。電子デバイスのコイルは第2の電気信号を生成し、第2の電気信号を用いて第2の磁界を発生させる。第2の磁界の磁力は、電子部品を駆動して電子デバイスにしっかりと接続させるために、すなわち、電子部品を駆動して、電子デバイスにより密接に接続させるために用いられ、これは、電子部品と電子デバイスとの間のロックイン状態に相当し、それによって電子デバイスの使用上のセキュリティが向上する。
【０１８８】
本発明の本実施形態の第2の電気信号は電流または電圧とすることができ、これについては本発明の本実施形態では限定されないことに留意されたい。
【０１８９】
第2の電気信号を用いて生成された第2の磁界の磁力は、電子部品を駆動して電子デバイスにしっかりと接続させるために用いられ、第1の電気信号は第1の磁界の磁束の変化に従って生成され、第1の磁界の磁力は、電子部品を駆動して電子デバイスに接続させるために用いられる。レンツの法則より、第1の電気信号と第2の電気信号は同じ方向を有することが分かる。
【０１９０】
S205は任意選択のステップであることに留意されたい。電子デバイスが、ターゲット接続部品の識別情報は所定の識別子と同じであると判定した後で、電子デバイスと電子部品とをさらに相互にしっかりと接続されるようにしてもよく、このステップが行われなくてもよく、これについては本発明の本実施形態では限定されない。
【０１９１】
さらに、図10に示すように、電子デバイスが、ターゲット接続部品の識別情報は所定の識別子と同じであると判定した後で、すなわち、電子デバイスがS204を行った後で、電子デバイスはS206からS209をさらに行うことができる。具体的には以下のとおりである。
【０１９２】
S206．電子デバイスは命令情報を獲得し、命令情報は電子部品を駆動して電子デバイスから切断させるために用いられる。
【０１９３】
具体的には、本発明の本実施形態においては、電子デバイスと電子部品との間で接続状態が保持されるときに、ユーザが自発的に電子部品を電子デバイスから切断しようとする場合、ユーザは電子デバイスを用いて、電子部品を駆動して電子デバイスから切断させるために用いられる命令情報を入力する。これに対応して、電子デバイスは命令情報を獲得する。
【０１９４】
ユーザによって入力された命令情報は電子デバイス上でアプリケーションを用いてユーザによって入力された情報であり、命令情報は、電子部品を駆動して電子デバイスから切断させるために用いられ、セキュアなディジタルパスワードであってもよく、グラフィカルパスワードといった他の関連情報であってもよい。
【０１９５】
アプリケーションは、1つまたは複数の特定のタスクを完了するために開発された、オペレーティングシステム上で動作するコンピュータプログラムをいう。本発明の本実施形態のアプリケーションは、電子デバイス上で動作するシステムと互換性を有するアプリケーションである。
【０１９６】
電子デバイス上で動作するシステムは、Androidオペレーティングシステムであってもよく、iOSといった別のシステムであってもよく、これについては本発明の本実施形態では限定されない。電子デバイス上で動作するシステムは、Androidオペレーティングシステムであってもよく、別のシステムであってもよいため、アプリケーションの形式もシステムと共に変わる。
【０１９７】
例えば、電子デバイス上で動作するシステムがAndroidオペレーティングシステムである場合、アプリケーションはAPK（Application Package File、アプリケーション・パッケージ・ファイル）である。
【０１９８】
APKは、Androidオペレーティングシステム上のアプリケーション・インストール・ファイル形式である。Androidデバイス上で動作させる前に、Androidアプリケーションのコードはまずコンパイルされ、次いでAndroidオペレーティングシステムが識別可能なファイルにパックされる必要がある。Androidオペレーティングシステムが識別し、動作させることができるこのファイル形式がAPKである。APKファイルには、コンパイル済みコードファイル（.dexファイル）、ファイルリソース（resources）、ファイルアクセス（assets）、証明書（certificates）、およびマニフェストファイル（manifest file）が含まれる。
【０１９９】
S207．電子デバイスは命令情報が命令検証情報と同じであるかどうかを判定する。
【０２００】
具体的には、電子デバイスが、ターゲット接続部品の識別情報は所定の識別子と同じであると判定した場合に、電子デバイスがユーザの命令情報を獲得した後で、電子デバイスは命令情報を読み取り、検出し、すなわち、電子デバイスは、命令情報が命令検証情報と同じであるかどうかを判定する。
【０２０１】
例えば、電子デバイスはSIMカードが装着されたスマートフォンであり、スマートフォン上にはアプリケーションAがインストールされており、アプリケーションAにおいてセキュアなディジタルパスワード入力が設定されている場合に、ユーザがアプリケーションAを用いて、携帯電話機のSIMカードスロットの排出機構を駆動するディジタルパスワードを入力すると、携帯電話機のプロセッサは、ユーザが入力したディジタルパスワードが命令検証情報と同じであるかどうかを判定する。
【０２０２】
さらに、電子デバイスは読み取った命令情報を事前に記憶された命令検証情報と比較する。電子デバイスが読み取った命令情報が命令検証情報と同じである場合に、ユーザが入力した命令情報は識別に成功し、電子デバイスはS208を行い、電子デバイスが読み取った命令情報が命令検証情報と異なる場合に、ユーザが入力した命令情報は識別に失敗し、電子デバイスはS209を行う。
【０２０３】
S208．命令情報が命令検証情報と同じである場合に、電子デバイスは、電子部品を駆動して電子デバイスから切断させる。
【０２０４】
電子デバイスが、ユーザが入力した命令情報の識別に成功した場合、それは電子デバイスがユーザによって用いられ、ユーザがターゲット接続部品を自発的に排出しようとしていることを示し、したがって、電子デバイスは電子部品を駆動して電子デバイスから切断させる。
【０２０５】
具体的には、命令情報の識別に成功した後で、電子デバイスは、第3の電気信号を生成し、第3の電気信号を用いて第2の磁界を発生させ、第2の磁界の磁力は、電子部品を駆動して電子デバイスから切断させるために用いられ、それによって、不正なターゲット接続部品が電子デバイスに接続され、正常に使用されることが回避され、電子デバイスのセキュリティが保証される。
【０２０６】
先行技術においては、ユーザは、機械的レバーを作動させるだけで電子デバイスと電子部品の間の接続／切断を行い、電子デバイスにおけるターゲット接続部品の変更をさらに行うことができるが、本発明の本実施形態においては、電子部品と電子デバイスとの間の切断は、電子デバイスが、ユーザによって入力され、電子部品を駆動して電子デバイスから切断させるために用いられる命令情報を受け取った後で初めて、また電子デバイスが命令情報を識別した後で初めて行うことができる。このようにして、ユーザが正しい命令情報を入力しないときに、ユーザは電子デバイス内のターゲット接続部品を変更することができず、それによって電子デバイスにおける情報のセキュリティが向上する。
【０２０７】
さらに、先行技術においては、ターゲット接続部品がデータカードまたはメモリカードである場合に、電子デバイス内のカードを取り出す必要があるときに、ユーザは一般に、電子デバイス内のカードを取り出すための追加ツール（イジェクタピンなど）を必要とする。そうした工具は一般に小型であり、一般にユーザが携帯するものではなく、ユーザが電子デバイス内のカードを取り出そうとするときに不便に感じさせることも多いが、本発明の本実施形態においては、電子デバイスと電子部品との間の切断はプログラム論理制御によって行われ、ユーザが電子デバイス内のカードを取り出すための余分なツールは不要になり、ユーザの操作が容易になる。
【０２０８】
S209．命令情報が命令検証情報と異なる場合に、電子デバイスは電子部品への接続状態を保持する。
【０２０９】
電子デバイスが、ユーザが入力した命令情報の識別に成功しなかった場合、電子デバイスと電子部品との間の接続状態はそのまま保持され、そのため、ユーザは電子デバイス内のターゲット接続部品を変更することができず、電子デバイスにおける情報のセキュリティが向上する。
【０２１０】
例えば、ユーザAの携帯電話機の命令検証情報がセキュアな検証コードである場合に、携帯電話機が盗まれるシナリオにおいて、窃盗犯はセキュアな検証コードを入力することによってしかユーザAの携帯電話機内のSIMを取り出すことができない。
【０２１１】
本発明の本実施形態は、接続／切断方法を提供する。電子デバイスは、電子デバイスにおける第1の磁界の磁束の変化を検出し、磁束の変化に従って第1の電気信号を生成し、第1の磁界は、電子部品によって発生し、第1の磁界の磁力は、電子部品を駆動して電子デバイスに接続させるために用いられ、電子部品は、ターゲット接続部品を収容するか、またはターゲット接続部品に接続される。電磁誘導原理より、電子デバイスにおける第1の磁界の磁束の変化は、電子デバイスに第1の電気信号を生成させることができることが分かり、第1の磁界は、電子部品によって発生し、磁束の変化は第1の電気信号の変化を生じさせることができる。第1の電気信号の変化が所定の第1のモデルと一致する場合に、電子デバイスは、ターゲット接続部品の識別情報が所定の識別子と同じであるかどうかを判定し、ターゲット接続部品の識別情報が所定の識別子と異なる場合に、電子デバイスは電子部品を駆動して電子デバイスから切断させる。
【０２１２】
この解決策を用いて、電子デバイスは、プログラム論理制御により、電子部品によって収容された、または電子部品に接続されたターゲット接続部品が許可されているかどうかの判定、すなわち、ターゲット接続部品の識別情報が所定の識別子と同じであるかどうかの判定を行い、ターゲット接続部品が許可されていないと判定した場合に、電子デバイスは電子部品を駆動して電子デバイスから切断させる。このようにして、不正なターゲット接続部品が電子デバイスに接続された後でそのターゲット接続部品を正常に使用することができないことが保証され、それによって、電子デバイスのセキュリティが向上する。
【０２１３】
実施形態6
図11に示すように、本発明の本実施形態は、電子デバイス1を提供し、電子デバイス1は、
電子デバイスにおける第1の磁界の磁束の変化を検出するように構成された、検出部10であって、第1の磁界は、電子部品によって発生し、第1の磁界の磁力は、電子部品を駆動して電子デバイスに接続させるために用いられ、電子部品は、ターゲット接続部品を収容するか、またはターゲット接続部品に接続される、検出部10と、
検出部10によって検出された磁束の変化に従って第1の電気信号を生成するように構成された、生成部11と、
生成部11によって生成された第1の電気信号の変化が所定の第1のモデルと一致する場合に、ターゲット接続部品の識別情報が所定の識別子と同じであるかどうかを判定するように構成された、判定部12と、
判定部12が、ターゲット接続部品の識別情報は所定の識別子と異なると判定した場合に、電子部品を駆動して電子デバイスから切断させるように構成された、駆動部13と、を含む。
【０２１４】
さらに、生成部11は、識別情報が所定の識別子と同じである場合に、電子デバイスが第2の電気信号を用いて第2の磁界を発生させるように、第2の電気信号を生成するようにさらに構成されており、第2の磁界の磁力は、電子部品を駆動して電子デバイスにしっかりと接続させるために用いられる。
【０２１５】
さらに、図12に示すように、本電子デバイスは獲得部14をさらに含む。
【０２１６】
獲得部14は、命令情報を獲得するように構成されており、命令情報は電子部品を駆動して電子デバイスから切断させるために用いられる。
【０２１７】
さらに、駆動部13は、獲得部14によって獲得された命令情報に従って、電子部品を駆動して電子デバイスから切断させる、ようにさらに構成されている。
【０２１８】
さらに、判定部12は、獲得部14によって獲得された命令情報が命令検証情報と同じであるかどうかを判定するようにさらに構成されている。
【０２１９】
さらに、駆動部13は、判定部12が命令情報は命令検証情報と同じであると判定した場合に、電子部品を駆動して電子デバイスから切断させるように特に構成されている。
【０２２０】
さらに、ターゲット接続部品はデータカードまたはメモリカードであり、ターゲット接続部品の識別情報はターゲット接続部品の通し番号または識別IDである。
【０２２１】
本発明の本実施形態は電子デバイスを提供し、本電子デバイスは、検出部と、生成部と、判定部と、駆動部とを含む。本電子デバイスは、電子デバイスにおける第1の磁界の磁束の変化を検出し、磁束の変化に従って第1の電気信号を生成し、第1の磁界は、電子部品によって発生し、第1の磁界の磁力は、電子部品を駆動して電子デバイスに接続させるために用いられ、電子部品は、ターゲット接続部品を収容するか、またはターゲット接続部品に接続される。電磁誘導原理より、電子デバイスにおける第1の磁界の磁束の変化は、電子デバイスに第1の電気信号を生成させることができることが分かり、第1の磁界は、電子部品によって発生し、磁束の変化は第1の電気信号の変化を生じさせることができる。第1の電気信号の変化が所定の第1のモデルと一致する場合に、電子デバイスは、ターゲット接続部品の識別情報が所定の識別子と同じであるかどうかを判定し、ターゲット接続部品の識別情報が所定の識別子と異なる場合に、電子デバイスは電子部品を駆動して電子デバイスから切断させる。
【０２２２】
この解決策を用いて、電子デバイスは、プログラム論理制御により、電子部品によって収容された、または電子部品に接続されたターゲット接続部品が許可されているかどうかの判定、すなわち、ターゲット接続部品の識別情報が所定の識別子と同じであるかどうかの判定を行い、ターゲット接続部品が許可されていないと判定した場合に、電子デバイスは電子部品を駆動して電子デバイスから切断させる。このようにして、不正なターゲット接続部品が電子デバイスに接続された後でそのターゲット接続部品を正常に使用することができないことが保証され、それによって、電子デバイスのセキュリティが向上する。
【０２２３】
実施形態7
図13に示すように、本発明の本実施形態は電子部品2を提供し、電子部品2は、
第1の磁界を発生させるように構成された永久磁石部20であって、第1の磁界の磁力は、電子部品が電子デバイスに接続されようとするときに、電子部品を駆動して電子デバイスに接続させるために用いられる、永久磁石部20と、
ターゲット接続部品に接続されるように構成された、入力／出力部21であって、ターゲット接続部品は、電子デバイスによって電子デバイスと通信を行うために用いられるか、または電子デバイスとデータ伝送を行うために用いられる、入力／出力部21と、を含む。
【０２２４】
さらに、ターゲット接続部品はデータカードまたはメモリカードである。
【０２２５】
本発明の本実施形態は電子部品を提供し、本電子部品は、永久磁石部と入力／出力部とを含む。永久磁石部は、第1の磁界を発生させるように構成されており、第1の磁界の磁力は、電子部品が電子デバイスに接続されようとするときに、電子部品を駆動して電子デバイスに接続させるために用いられる。本解決策によれば、電子部品は永久磁石部を含み、永久磁石部は、電子部品と電子デバイスとの間の接続／切断を、磁力によって行うことができる。
【０２２６】
説明を簡便にする目的で、前述の機能モジュールの分割は説明のための例とみなされるものであることを、当業者ははっきりと理解することができる。実際の適用においては、前述の各機能を、異なる機能モジュールに割り振り、要件に従って実装することができ、すなわち、装置の内部構造が上述の各機能の全部または一部を実装するように異なる機能モジュールに分割される。前述のシステム、装置およびユニットの詳細な動作プロセスについては、前述の方法実施形態における対応するプロセスを参照することができ、ここでは詳細を繰り返さない。
【０２２７】
本出願で提供されるいくつかの実施形態においては、開示のシステム、装置、および方法を他のやり方で実現することもできることを理解すべきである。例えば、説明された装置実施形態は単なる例示にすぎない。例えば、モジュールまたはユニットの分割は単なる論理的機能分割にすぎず、実際の実装に際しては他の分割も可能である。例えば、複数のユニットまたはコンポーネントが組み合わされるか、または統合されて別のシステムになる場合もあり、いくつかの特徴が無視されるか、または実行されない場合もある。加えて、表示された、または論じられた相互結合または直接結合または通信接続を、いくつかのインターフェースを使用して実現することもできる。装置間またはユニット間の間接結合または通信接続は、電子的形態、機械的形態、または他の形態として実現することができる。
【０２２８】
別々の部分として記述されたユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。ユニットの一部または全部を、各実施形態の解決策の目的を達成するための実際の必要に従って選択することもできる。
【０２２９】
加えて、本発明の各実施形態における機能ユニットを1つの処理ユニットへ統合することもでき、ユニットの各々が物理的に独立して存在していてもよく、または2つ以上のユニットが1つのユニットへ統合される。統合ユニットはハードウェアの形態で実現されてもよく、ソフトウェア機能ユニットの形態で実現されてもよい。
【０２３０】
統合ユニットがソフトウェア機能ユニットの形態で実現され、独立した製品として販売されるか、または使用される場合に、その統合ユニットはコンピュータ可読記憶媒体に記憶することができる。そうした理解に基づき、本発明の技術解決策を本質的に、または先行技術に寄与する部分を、または技術解決策の全部もしくは一部を、ソフトウェア製品の形態で実現することができる。コンピュータソフトウェア製品は記憶媒体に記憶されており、（パーソナルコンピュータ、サーバ、もしくはネットワークデバイスとすることができる）コンピュータデバイスまたはプロセッサ（processor）に、本発明の各実施形態に記載されている方法のステップの全部または一部を実行するよう命令するためのいくつかの命令を含む。前述の記憶媒体は、USBフラッシュドライブ、取り外し可能ハードディスク、読取り専用メモリ（ROM、Read-Only Memory）、ランダム・アクセス・メモリ（RAM、Random Access Memory）、磁気ディスク、光ディスクといった、プログラムコードを記憶することができる任意の媒体を含む。
【０２３１】
以上の説明は、単に、本発明の具体的実施態様であるにすぎず、本発明の保護範囲を限定するためのものではない。本発明で開示される技術範囲内で当業者によって容易に考案されるいかなる変形や置換も、本発明の保護範囲内に含まれるものとする。したがって、本発明の保護範囲は、特許請求の範囲の保護範囲に従うべきものとする。
【符号の説明】
【０２３２】
1  電子デバイス
2  電子部品
10  磁気媒体
11  コイル
12  プロセッサ
13  電子部品インターフェース
14  メモリ
15  システムバス
20  電子インターフェース
21  永久磁石装置
【図１】
0006358608.tif 000002
【図２】
0006358608.tif 000003
【図３】
0006358608.tif 000004
【図４】
0006358608.tif 000005
【図５】
0006358608.tif 000006
【図６】
0006358608.tif 000007
【図７】
0006358608.tif 000008
【図８】
0006358608.tif 000009
【図９】
0006358608.tif 000010
【図１０】
0006358608.tif 000011
【図１１】
0006358608.tif 000012
【図１２】
0006358608.tif 000013
【図１３】
0006358608.tif 000014